(57)【特許請求の範囲】
【請求項１】
地山法面に沿って斜めに形成された表面板、当該表面板の上端部と下端部にそれぞれ後方に向かって水平に突設された上面板と下面板、および当該上面板と下面板の間に突設された縦板をそれぞれ有し、前記表面板には横方向に長い矩形状をなし、当該表面板の表面側から背面側に向かって徐々に小径となるように形成された複数の植生用孔と当該植生用孔の上側、上下の植生用孔間および植生用孔の下側を前記表面板の横方向に連続して複数段に形成された突状リブおよび縦方向に連続する複数の突状リブをそれぞれ有し、かつ前記植生用孔内に植生促進材が内在されてなることを特徴とする大型擁壁緑化ブロック。
【請求項２】
縦板は、表面板の長手方向に所定間隔おきに形成されてなることを特徴とする請求項１記載の大型擁壁緑化ブロック。
【請求項３】
上面板の上側面と下面板の下側面に、積層された際に互いに嵌合し合う凸状部と凹状部がそれぞれ形成されてされてなることを特徴とする請求項１または２記載の大型擁壁緑化ブロック。
【請求項４】
植生用孔の背面側に土砂流出防止シートが内在されてなることを特徴とする請求項１〜３のいずれかに記載の大型擁壁緑化ブロック。
【請求項５】
植生促進材として事前に育成され、かつ植生用孔の形状に加工されたポット状の草本類、木本類、つた類等の植物苗が内在されてなることを特徴とする請求項１〜４のいずれかに記載の大型擁壁緑化ブロック。
【請求項６】
植生促進材として種子、肥料、栄養分を含んだ土壌が充填された植生土壌充填袋が内在されてなることを特徴とする請求項１〜４のいずれかに記載の大型擁壁緑化ブロック。
【請求項７】
請求項１〜６のいずれかに記載の大型擁壁緑化ブロックを複数積層し、かつ各大型擁壁緑化ブロックの背面側に背面土を充填してなることを特徴とする擁壁緑化構造。
【発明の詳細な説明】
【０００１】
【発明の属する技術分野】
この発明は大型擁壁緑化ブロックおよび当該大型擁壁緑化ブロックを利用した擁壁緑化構造に関し、特に施工性、安定性および保水性にすぐれ、しかも牛糞や馬糞などの畜産廃棄物のリサイクル化を可能にしたものである。
【０００２】
【従来の技術】
切土法面や盛土法面を緑化する方法として、例えば図５（ａ），（ｂ），（ｃ）にそれぞれ図示するようなボックス型、庇突出型、ブロック穴開き型の各擁壁ブロック２０を法面２１の上に積層し、各擁壁ブロック２０内に胴込め土砂（以下「土砂」という）２２を詰めて植物の自然植生による緑化を図る方法、土砂２２の表面に草本類や木本類などの植物苗を植栽して積極的に緑化を図る植生緑化ブロック工法が一般に知られている。
【０００３】
【発明が解決しようとする課題】
しかし、上述したような擁壁ブロック２０を使って行う、これまでの法面緑化工法では、擁壁ブロック２０を一つ一つ法面２１の上に積層し、かつ各擁壁ブロック２０内に一つ一つ土砂２２を詰め込む必要があるため、施工性が非常に悪いものであった。
【０００４】
また、土砂２２として一般に、施工に伴って発生する掘削土が用いられているため、中には植物苗の生育に適さないものもあり、このため植栽しても生育が悪く、必ずしも希望通りの緑化が図れないこともあった。
【０００５】
このため、近年試みられている擁壁の壁面全体を緑化することにより自動車の騒音を吸収したり、騒音の乱反射を防いだり、さらには最近の地球温暖化の大きな要因となっている二酸化炭素（炭酸ガス）を植物に吸収させようとする試みはほとんど期待できないものであった。
【０００６】
また近年、畜産農家においては、毎日大量に発生する牛糞や馬糞などの畜産廃棄物の処理が問題になっており、その処理方法の開発が強く望まれている。
【０００７】
この発明は以上の課題を解決するためになされたもので、特に施工性、安定性および保水性にすぐれ、かつ長期にわたる植物の生育が可能で、しかも畜産廃棄物のリサイクル化を可能にした大型擁壁緑化ブロックおよび擁壁緑化構造を提供することを目的とする。
【０００８】
【課題を解決するための手段】
請求項１記載の大型擁壁緑化ブロックは、地山法面に沿って斜めに形成された表面板、当該表面板の上端部と下端部にそれぞれ後方に向かって水平に突設された上面板と下面板、および当該上面板と下面板の間に突設された縦板をそれぞれ有し、前記表面板には横方向に長い矩形状をなし、当該表面板の表面側から背面側に向かって徐々に小径となるように形成された複数の植生用孔と当該植生用孔の上側、上下の植生用孔間および植生用孔の下側を前記表面板の横方向に連続して複数段に形成された突状リブおよび縦方向に連続する複数の突状リブをそれぞれ有し、かつ前記植生用孔内に植生促進材が内在されてなることを特徴とするものである。
【０００９】
この場合の植生用孔の形状や大きさは特に限定されないが、形状としては例えば円形状、または縦方向または横方向に長い矩形状でもよい。また、上面板、下面板および縦板の形状は特に限定されるものではなく、積層時の安定性がよく、しかも背面土の充填に支障をきたさない形状とするのがよい。
【００１０】
また、植生促進材としては、植生基盤材、ポット苗、改良土壌などが考えられ、植生基盤材としては、例えば牛糞や馬糞などの畜産廃棄物を処理した（コンポス化）たい肥とココピート、ピートモス等の自然材料を最適比率で混ぜ、種子、肥料、保水材などを混在したものを固形化または袋詰めにして植生用孔内にフイットできるようにしたもの等がよい。
【００１１】
また、植え付け後、時間の経過とともに自然に生育して表面板の上を自然に覆う草木類、木本類あるいはつた類などの苗を事前に育成した後、植生用孔内にフイットできる形状に加工したもの等の他、改良土壌（種子と肥料などを内在させ固形化したもの）等も考えられる。
【００１２】
なお、表面板の裏側に、板状リブとして上面板、下面板および縦板をそれぞれ突設してもよい。この場合の上面板、下面板および縦板の形状は特に限定されるものではないが、積層時の安定性がよく、しかも背面土の充填に支障をきたさない形状とするのがよい。
【００１３】
請求項２記載の大型擁壁緑化ブロックは、請求項１記載の大型擁壁緑化ブロックにおいて、縦板は表面板の長手方向に所定間隔おきに形成されてなることを特徴とするものである。
【００１４】
請求項３記載の大型擁壁緑化ブロックは、請求項１または２記載の大型擁壁緑化ブロックにおいて、上面板の上側面と下面板の下側面に、積層された際に互いに嵌合し合う凸状部と凹状部がそれぞれ形成されてされてなることを特徴とするものである。
【００１５】
請求項４記載の大型擁壁緑化ブロックは、請求項１〜３のいずれかに記載の大型擁壁緑化ブロックにおいて、植生用孔の背面側に土砂流出防止シートが内在されてなることを特徴とするものである。この場合の土砂流出防止シートとしては、ジオテキスタイルやジオグリッド等の土木用シート、あるいは金網類が考えられる。
【００１６】
請求項５記載の大型擁壁緑化ブロックは、請求項１〜４のいずれかに記載の大型擁壁緑化ブロックにおいて、植生促進材として事前に育成され、かつ植生用孔の形状に加工されたポット状の草本類、木本類、つた類等の植物苗が内在されてなることを特徴とするものである。
【００１７】
請求項６記載の大型擁壁緑化ブロックは、請求項１〜４のいずれかに記載の大型擁壁緑化ブロックにおいて、植生促進材として種子、肥料、栄養分を含んだ土壌が充填された植生土壌充填袋が内在されてなることを特徴とするものである。なお、この場合の植生土壌充填袋としては、種子、肥料、栄養分を含んだ土壌を植生シート等で包み込んだものでよい。
【００１８】
請求項７記載の擁壁緑化構造は、請求項１〜６のいずれかに記載の大型擁壁緑化ブロックを複数積層し、かつ各大型擁壁緑化ブロックの背面側に背面土を充填してなることを特徴とするものである。
【００１９】
【発明の実施の形態】
図１〜図４は、この発明に係る大型擁壁緑化ブロックおよび当該大型擁壁緑化ブロックを複数積層してなる擁壁緑化構造の一例を示し、図において、大型擁壁緑化ブロック１は表面板２とその背面側に板状リブとして突設された上面板３、下面板４および縦板５をそれぞれ有し、鉄筋コンクリートまたは繊維補強コンクリート等から一体的に形成されている。
【００２０】
表面板２は横方向に長い矩形板状に形成され、かつ地山法面Ａの勾配にそって斜めに形成されている。また、表面板２には複数の植生用孔２ａと突状リブ２ｂがそれぞ形成されている。
【００２１】
植生用孔２ａは表面板２の上下方向および横方向に所定間隔おきに形成され、各植生用孔２ａの形状は横方向に長い矩形状に形成され、かつ各植生用孔２ａの内周面は表面板２の表面側から背面側（地山側）に向かって徐々に小径となるテーパ状に形成されている。
【００２２】
また、各植生用孔２ａの背面側には土砂流出防止シート６が取り付けられている。土砂流出防止シート６は背面側の土砂が植生用孔２ａを通って表側に流出するのを未然に防止するためのもので、例えばジオテキスタイルやジオグリッド、あるいは金網などが取り付けられている。
【００２３】
さらに、各植生用孔２ａ内には、例えば図４（ａ），（ｂ），（ｃ），（ｄ）にそれぞれ図示するように、植生促進材として例えば植生基盤材７、ポット苗８、改良土壌９あるいは植生土壌１０が内在されている。
【００２４】
この場合の植生基盤材７としては、牛糞・馬糞等の蓄糞廃棄物を処理した堆肥とココピート、ピートモスなどの自然材料を最適比率で混ぜ、種子、肥料、保水材等を混在し、かつ固形化または袋詰めした植生基盤材が植生用孔２ａ内に内在されている（図２（ａ）、図４（ａ）参照）。
【００２５】
また、ポット苗８としては、事前に育成されかつ植生用孔２ａの形状に加工されたポット状の草木類、木本類、つた類等の植物苗が植生用孔２ａ内に内在されている（図２（ｂ）、図４（ｂ）参照）。
【００２６】
また、改良土壌９として植生に快適な土壌に改良した現地土壌が内在されている（図２（ｃ）、図４（ｃ）参照）。さらに、植生土壌１０として種子、肥料、栄養分を含んだ土壌が充填された植生土壌が麻袋に充填して内在されている（図４（ｄ）参照）。
【００２７】
突状リブ２ｂは、生育した植物苗を表面板２の上に保持するための植生用棚であり、表面板２の表側に植生用孔２ａの上側、上下の植生用孔２ａ，２ａ間、さらに植生用孔２ａの下側を横方向に連続して複数段に形成されている。
【００２８】
上面板３と下面板４はそれぞれ、表面板２の上端部と下端部から後方に水平に突設され、縦板５は上面板３と下面板４間に垂直に突設され、特に縦板５は表面板２の長さに応じて表面板２の長手方向に所定間隔おきに突設されている。
【００２９】
また、上面板３の上側面と下面板４の下側面には、積層された際に互いに嵌合し合う凸状部３ａと４凹状部４ａがそれぞれ形成されている。
【００３０】
このように形成された大型擁壁緑化ブロックは、地山法面Ａの下端部（法尻部）に形成されたコンクリート基礎１０の上に地山法面Ａを覆うように複数積み重ねられている。この場合、上下に隣接する大型擁壁ブロックどうしは、上面板３の凸状部３ａと下面板４の凹状部４ａが互いに嵌合し合うことで、位置合わせがなされている。
【００３１】
そして、各大型擁壁緑化ブロック１の背面側に土砂や砕石、あるいは客土などの背面土１１がそれぞれ充填されている。
【００３２】
このように構成されていることで、施工後、時間の経過とともに植生促進材として植生用孔２ａ内に内在された植生基盤材７や改良土壌９内の種子が発芽して生育し、またポット苗８が植え付け後すぐに自然に生育し、各大型擁壁緑化ブロックの表面板２の上、ひいては擁壁全体を覆うことで、擁壁面の緑化という目的が達成される。
【００３３】
また、また表面板２の各植生用孔２ａが貫通していることで、植生基盤材７等の植生促進材は背面土１１、さらにその後方の地山とも連続していることで、常に自然灌水をうけることができ、したがって、植生促進材の保水性が維持され、長期にわたる植物の育成が可能となる。
【００３４】
【発明の効果】
この発明は以上説明したとおりであり、特に表面板に植生用孔が複数形成され、かつ当該植生用孔内に植生促進材が内在され、かつ植生促進材と背面土とは、植生用孔を介して連通しており、この植生用孔を介して背面土側から植生促進材側に必要な灌水がなされるため、植生促進材の保水が維持され、長期にわたる植物の育成が図れる。
【００３５】
また、植生促進材として牛糞などの畜産廃棄物を利用した植生基盤材を使用することで牛糞などの畜産廃棄物のリサイクル化も図れる。
【図面の簡単な説明】
【図１】擁壁緑化構造の一例を示し、（ａ）はその一部正面図、（ｂ）は縦断面図である。
【図２】（ａ）、（ｂ）、（ｃ）はいずれも、大型擁壁緑化ブロックの一例を示す縦断面図である。
【図３】（ａ）は擁壁緑化構造の一例を示す一部斜視図、（ｂ）は大型擁壁緑化ブロックの斜視図である。
【図４】（ａ）、（ｂ）、（ｃ）、（ｄ）はいずれも、植生促進材の設置例を示す大型擁壁緑化ブロックの一部縦断面図である。
【図５】従来の擁壁緑化構造の一例を示す一部縦断面図である。
【符号の説明】
１  大型擁壁緑化ブロック
２  表面板
２ａ  植生用孔
２ｂ  突状リブ
３  上面板
３ａ  凸状部
４  下面板
４ａ  凹状部
５  縦板
６  土砂流出防止シート（ジオテキスタイル、ジオグリッド、金網等）
７  植生基盤材
８  ポット苗
９  改良土壌
１０  植生土壌
１１  背面土
【図１】
0003686021.tif 000002
【図２】
0003686021.tif 000003
【図３】
0003686021.tif 000004
【図４】
0003686021.tif 000005
【図５】
0003686021.tif 000006